(57)【要約】  本発明は少なくともビデオデータの再生を管理するためのデータ構造を有する記録媒体と、データ構造を記録し、再生する方法及び装置に関する。本発明による記録媒体には再生リストディレクトリ領域と少なくとも一つのナビゲーション情報領域がある。再生リストディレクトリ領域には複数の再生リストファイルを含む再生リストディレクトリが格納される。各再生リストファイルは多重再生経路ビデオデータの一部を識別して、再生リストファイルの少なくとも一部は異なる再生経路と連係する。前記ナビゲーション情報領域には少なくとも一つ以上の再生経路に関する情報を提供するナビゲーション情報が格納される。
2005531871.tif 000002
【特許請求の範囲】
【請求項１】
タイトルの多重再生経路ビデオデータの再生を管理するためのデータ構造を有する記録媒体において、
複数の再生リストファイルが含まれる再生リストディレクトリが格納される再生リストディレクトリ領域と、
少なくとも一つの再生経路に対する情報を提供するナビゲーション情報が格納される少なくとも一つのナビゲーション情報領域とを含み、
各再生リストファイルは前記多重再生経路ビデオデータの一部を識別して、再生リストファイルの少なくとも一部は他の再生経路と連係することを特徴とする記録媒体。
【請求項２】
再生リストファイルのグループは各再生経路と連係することを特徴とする請求項１記載の記録媒体。
【請求項３】
前記ナビゲーション情報は、再生リストファイルと、同じ経路にある異なる再生リストファイルとを連結する情報を提供することを特徴とする請求項２記載の記録媒体。
【請求項４】
前記タイトルの異なる再生経路は前記タイトルの異なるストーリであることを特徴とする請求項３記載の記録媒体。
【請求項５】
前記ナビゲーション情報は特定再生リストファイルが再生された後に再生される次の再生リストファイルを指示することを特徴とする請求項２記載の記録媒体。
【請求項６】
前記ナビゲーション情報は、再生リストファイルと、同じ経路にある他の再生リストファイルとを連結する情報を提供することを特徴とする請求項１記載の記録媒体。
【請求項７】
前記タイトルの異なる再生経路は前記タイトルの異なるストーリであることを特徴とする請求項６記載の記録媒体。
【請求項８】
前記ナビゲーション情報は特定の再生リストファイルが再生された後に再生される次の再生リストファイルを指示することを特徴とする請求項１記載の記録媒体。
【請求項９】
前記多重再生経路ビデオデータのクリップを格納するデータ領域をさらに含み、
各再生経路に対するビデオデータは異なるクリップに格納されることを特徴とする請求項１記載の記録媒体。
【請求項１０】
多重再生経路ビデオデータの再生を管理するためのデータ構造を有する記録媒体において、
複数の再生リストが含まれる再生リストディレクトリが格納される再生リストディレクトリ領域を含み、
少なくとも複数の再生リストがグループに分けられ、各グループは異なる再生経路と連係することを特徴とする記録媒体。
【請求項１１】
少なくとも一つ以上の再生経路に対する情報を提供するナビゲーション情報が格納される少なくとも一つのナビゲーション情報領域をさらに含むことを特徴とする請求項１０記載の記録媒体。
【請求項１２】
前記ナビゲーション情報は、再生リストファイルと、同じ経路にある他の再生リストファイルとを連結する情報を提供することを特徴とする請求項１１記載の記録媒体。
【請求項１３】
前記タイトルの前記異なる再生経路は前記タイトルの異なるストーリであることを特徴とする請求項１２記載の記録媒体。
【請求項１４】
前記ナビゲーション情報は特定の再生リストファイルが再生された後に再生される次の再生リストファイルを指示することを特徴とする請求項１１記載の記録媒体。
【請求項１５】
前記多重再生経路ビデオデータのクリップを格納するデータ領域をさらに含み、
各再生経路に対するビデオデータが異なるクリップに格納されることを特徴とする請求項１０記載の記録媒体。
【請求項１６】
再生経路のうち一つを選択するユーザーの入力を受ける段階と、
記録媒体に記録されるナビゲーション情報を基礎にして、前記選択された再生経路と連係する少なくとも一つの再生リストを再生する段階とで構成されることを特徴とする記録媒体から多重再生経路ビデオデータを再生する方法。
【請求項１７】
前記再生する段階は、前記ナビゲーション情報を基礎にして、再生リストのグループを再生することを特徴とする請求項１６記載の方法。
【請求項１８】
少なくともビデオデータの再生を管理するためのデータ構造を記録媒体に記録する方法であって、
記録媒体の再生リストディレクトリ領域に複数の再生リストファイルが含まれる再生リストディレクトリを記録し、
前記記録媒体の少なくとも一つのナビゲーション情報領域に少なくとも一つの再生経路に対する情報を提供するナビゲーション情報を記録し、
各再生リストファイルは多重再生経路ビデオデータの一部を識別して、再生リストファイルの少なくとも一部は異なる再生経路と連係することを特徴とする方法。
【請求項１９】
少なくともビデオデータの再生を管理するためのデータ構造を再生する方法で、
少なくとも一つの再生経路に対する情報を提供するナビゲーション情報を記録媒体の少なくとも一つのナビゲーション情報領域から再生し、
前記ナビゲーション情報を基礎にして、前記記録媒体の再生リストディレクトリ領域にある少なくとも一つの再生リストファイルを再生し、
各再生リストファイルは多重再生経路ビデオデータの一部を識別して、再生リストファイルの少なくとも一部は異なる再生経路と連係することを特徴とする方法。
【請求項２０】
少なくともビデオデータの再生を管理するためのデータ構造を記録する装置において、
記録媒体にデータを記録する光記録手段を駆動するドライブと、
少なくともビデオデータをエンコーディングするためのエンコーダと、
前記記録媒体に前記エンコーディングされたビデオデータを記録するように、前記ドライブを制御するコントローラとを含み、
前記コントローラは、前記記録媒体の再生リストディレクトリ領域に複数の再生リストファイルが含まれる再生リストディレクトリを記録し、かつ前記記録媒体の少なくとも一つ以上のナビゲーション情報領域に少なくとも一つ以上の再生経路に対する情報を提供するナビゲーション情報を記録するように、前記ドライブを制御し、
各再生リストファイルは多重再生経路ビデオデータの一部を識別して、再生リストファイルの少なくとも一部は異なる再生経路と連係することを特徴とする装置。
【請求項２１】
少なくともビデオデータの再生を管理するためのデータ構造を再生する装置において、
記録媒体に記録されたデータを再生する光再生手段を駆動するドライブと
少なくとも一つ以上の再生経路に対する情報を提供するナビゲーション情報を前記記録媒体の少なくとも一つのナビゲーション情報領域から再生し、かつ前記ナビゲーション情報を基礎にして前記記録媒体の再生リストディレクトリ領域にある少なくとも一つの再生リストファイルを再生するように、前記ドライブを制御するコントローラとを含み、
各再生リストファイルは多重再生経路ビデオデータの一部を識別して、再生リストファイルの少なくとも一部は異なる再生経路と連係することを特徴とする装置。
【発明の詳細な説明】
【技術分野】
【０００１】
本発明は少なくともビデオデータの再生を管理するためのデータ構造を有する記録媒体、ビデオデータを再生して記録するための装置及び方法に関する。
【背景技術】
【０００２】
最近、高画質のビデオデータと高音質のオーディオデータを高容量で記録できる新しい高密度再生専用または再記録可能光ディスクに対する規格化作業が急速に進んで、再記録可能ブルーレイディスク（ＢＤ−ＲＥ）のような新しい光ディスクと関連した製品がまもなく商用化されることと期待されている。
【０００３】
図１は、再記録可能ブルーレイディスク（ＢＤ−ＲＥ）のファイル構造を示したものである。ファイル構造またはデータ構造はＢＤ−ＲＥに記録されるビデオオーディオデータの再生を管理するために用いられる。図１に示したように、データ構造は少なくとも一つ以上の「ＢＤＡＶ」ディレクトリを有するルートディレクトリを含む。「ＢＤＡＶ」ディレクトリには「ｉｎｆｏ．ｂｄａｖ」、「ｍｅｎｕ．ｔｉｄｘ」、「ｍａｒｋ．ｔｉｄｘ」、「＊．ｒｐｌｓ」、「＊．ｖｐｌｓ」のような再生リストファイルが格納されるＰＬＡＹＬＩＳＴサブディレクトリ、「＊．ｃｌｐｉ」のようなクリップ情報ファイルが格納されるＣＬＩＰＩＮＦサブディレクトリ、クリップ情報ファイルに対応するＭＰＥＧ−２フォーマットのＡ／Ｖストリームクリップファイルが格納されるＳＴＲＥＡＭサブディレクトリが含まれる。図１は、ディスクのデータ構造だけでなくディスクの領域をも示している。例えば、「ｉｎｆｏ．ｂｄａｖ」のような一般情報ファイルはディスクの一般情報領域に格納される。
【０００４】
図１に図示したＢＤ−ＲＥのデータ構造とディスクフォーマットは広く知られて容易に利用できるので、以後ファイル構造に対しては簡単に説明する。
【０００５】
前述したように、ＳＴＲＥＡＭディレクトリにはクリップと呼ばれるＭＰＥＧ−２フォーマットのＡ／Ｖストリームファイルが含まれており、またブリッジ−クリップＡ／Ｖストリームファイルという特別な形態のクリップも含まれることがあきる。ブリッジ−クリップはクリップのうちから選択された二つ以上の再生区間を滑らかに連結するために使用されるもので、一般にクリップに比べてサイズが小さい。Ａ／Ｖストリームにはビデオオーディオデータのソースパケットが含まれる。ビデオオーディオデータのソースパケットにはヘッダーと伝送パケットが含まれる。一つのソースパケットには自身にアクセスするためのアドレスの役割を果たすソースパケット番号（ＳＰＮ）が含まれる。そのソースパケット番号は一般に順番に番号が割り当てられる。伝送パケットには一つのパケットＩＤ（ＰＩＤ）が含まれる。そのＰＩＤは伝送パケットが属する一連の伝送パケットを識別する。一連の伝送パケット内の各伝送パケットはＰＩＤが同じである。以後、一連の伝送パケットを伝送パケットシーケンスという。
【０００６】
ＣＬＩＰＩＮＦディレクトリには各Ａ／Ｖストリームファイルに連係するクリップ情報ファイルが含まれる。クリップ情報ファイルは連係するＡ／Ｖストリームの類型、シーケンス情報、プログラム情報、タイミング情報を指示する。シーケンス情報は到着時間基準（ＡＴＣ）シーケンスとシステム時間基準（ＳＴＣ）シーケンスを記述する。例えば、シーケンス情報はシーケンスの数、各シーケンスの開始と終わり時間情報、各シーケンスにおける一番目のソースパケットのアドレス、各シーケンスにある伝送パケットのＰＩＤを指示する。プログラムのコンテンツが続く伝送パケットシーケンスはプログラムシーケンスと呼ばれる。プログラム情報はプログラムシーケンスの個数、各プログラムシーケンスの開始アドレス、プログラムシーケンスにある伝送パケットのＰＩＤを指示する。
【０００７】
タイミング情報は特徴ポイント情報（ＣＰＩ）と呼ばれる。ＣＰＩの一形態がエントリーポイントマップ（ＥＰマップ）である。ＥＰマップは、例えば、到着時間ＡＴＣ及び／またはシステム時間ＳＴＣを基準にして、ソースパケットのアドレス（例えば、ソースパケットの番号）に対するタイムスタンプを表示する。
【０００８】
ＰＬＡＹＬＩＳＴディレクトリには一つ以上の再生リストファイルがある。再生リストは再生のためのクリップを容易に編集したり組み合わせるために導入された概念である。再生リストファイルはクリップにある再生区間の集合であって、各再生区間は再生アイテムと呼ばれる。再生リストファイルは再生リストを形成する各再生アイテムを識別して、各再生アイテムは、クリップの時間軸上の位置（例えば、ＡＴＣまたはＳＴＣ基準でプレゼンテーションタイムスタンプ（ＰＴＳ））を示すＩＮ−ｐｏｉｎｔとＯＵＴ−ｐｏｉｎｔの対である。換言すれば、再生リストファイルは再生アイテムを識別して、各再生アイテムは一つのクリップまたはその一部を指示してクリップと連係するクリップ情報ファイルを識別する。クリップ情報ファイルは再生アイテムをソースパケットのクリップに連結するために使用される。
【０００９】
ＰＬＡＹＬＩＳＴディレクトリには実再生リスト（＊．ｒｐｌｓ）と仮想再生リスト（＊．ｖｐｌｓ）が含まれることがある。実再生リストはクリップだけを用いてブリッジ−クリップは用いることができない。すなわち、実再生リストはクリップの一部を参照することと見られるので、概念的にディスク上でクリップの一部を参照することと同等なことに見られる。仮想再生リストはクリップとブリッジ−クリップをすべて用いることができるので、実再生リストの概念は仮想再生リストと並存しない。
【００１０】
「ｉｎｆｏ．ｂｄａｖ」ファイルは光ディスクに記録されるＡ／Ｖストリームの再生を管理する一般的な情報を提供する一般情報ファイルであって、さらに詳細には同じＢＤＡＶディレクトリのＰＬＡＹＬＩＳＴディレクトリにある再生リストのファイル名を識別する再生リスト目録を含む。
【００１１】
「ｍｅｎｕ．ｔｉｄｘ」、「ｍｅｎｕ．ｔｄｔ１」、「ｍｅｎｕ．ｔｄｔ２」ファイルはメニューサムネイルと関連した情報を格納する。「ｍａｒｋ．ｔｉｄｘ」、「ｍａｒｋ．ｔｄｔ１」、「ｍａｒｋ．ｔｄｔ２」ファイルはマークサムネイルと関連した情報を格納する。このようなファイルは本発明と直接的な関連がないので、これ以上詳細な説明は省略する。
【００１２】
最近、ブルーレイロム（ＢＤ−ＲＯＭ）のような高密度再生専用光ディスクに対する規格化作業が進んでいる。しかし、ＢＤ−ＲＯＭのような高密度再生専用光ディスクに記録されるビデオオーディオデータの再生を管理するデータ構造に対する効率的な解決策がまだ用意されていない。
【発明の開示】
【発明が解決しようとする課題】
【００１３】
したがって、本発明は前記のような実情を勘案して創作されたものであって、本発明の目的は、多重再生経路をベースにしてビデオデータの再生を管理できるようにするファイルまたはデータ構造を有する記録媒体を提供して、前記のようなデータ構造を記録して再生する装置と方法を提供することにある。
【課題を解決するための手段】
【００１４】
本発明による記録媒体には記録媒体に記録される少なくとも多重再生経路ビデオデータの再生を管理するデータ構造が含まれる。
【００１５】
本発明の実施態様によれば、記録媒体にはタイトルに対する多重再生経路ビデオデータが含まれる。記録媒体の再生リストディレクトリ領域には複数の再生リストファイルを含んだ再生リストディレクトリが格納される。各再生リストファイルは多重再生経路ビデオデータの一部を識別して、再生リストファイルの少なくとも一部は異なる再生経路と連係する。少なくとも一つのナビゲーション情報領域には少なくとも一つの再生経路に関する情報を提供するナビゲーション情報が格納される。発明の一実施態様では、タイトルの異なる再生経路はそのタイトルの異なるストーリである。
【００１６】
本発明の他の実施態様によれば、記録媒体には複数の再生リストを含む再生リストディレクトリが格納される再生リストディレクトリ領域が含まれる。少なくとも複数の再生リストがグループに分けられ、各グループは異なる再生経路と連係する。本発明のさらに他の実施態様では、記録媒体の少なくとも一つのナビゲーション情報領域に少なくとも一つの再生経路に関する情報を提供するナビゲーション情報が格納される。発明の一実施態様では、タイトルの異なる再生経路はそのタイトルの異なるストーリである。
【００１７】
説明した実施態様と関連した実施態様によれば、再生リストファイルのグループは各再生経路と連係する。他の関連した実施態様では、ナビゲーション情報は再生リストファイルを同一の再生経路にある異なる再生リストファイルと連結する情報を提供する。他の実施態様では、ナビゲーション情報は特定の再生リストファイルが再生された後に再生する次の再生リストファイルを指示する。
【００１８】
前記説明した実施態様と関連した他の実施態様によれば、記録媒体のデータ領域には多重再生経路ビデオデータのクリップが格納されており、各再生経路に対するビデオデータは異なるクリップに格納される。
【００１９】
本発明はデータ構造を記録して再生する装置と方法を提供するが、例えば、再生する方法に関する一実施態様では、ユーザーが選択した再生経路と連係する少なくとも一つ以上の再生リストが記録媒体に記録されるナビゲーション情報をベースにして再生される。
【発明を実施するための最良の形態】
【００２０】
以下、本発明に対する望ましい実施形態に対して、添付した図面を参照しながら詳細に説明する。
【００２１】
本発明による高密度光ディスク、例えばＢＤ−ＲＯＭは、図２に示したように、ビデオオーディオデータの再生を管理するファイルまたはデータ構造を有する。図２のような本発明によるデータ構造は様々な面で図１に図示したＢＤ−ＲＥのデータ構造と同じである。したがって、同じの部分は詳細な説明を省略する。
【００２２】
図２に示したように、ルートディレクトリには少なくとも一つのＤＶＰディレクトリがある。ＤＶＰディレクトリには一般情報ファイル（ｉｎｆｏ．ｄｖｐ）、メニューファイル（ｍｅｎｕ．ｔｉｄｘ、ｍｅｎｕ．ｔｄｔ１等）、実再生リストファイル（＊．ｒｐｌｓ）と仮想再生リストファイル（＊．ｖｐｌｓ）が格納されるＰＬＡＹＬＩＳＴディレクトリ、クリップ情報ファイル（＊．ｃｌｐｉ）が格納されるＣＬＩＰＩＮＦディレクトリ、クリップ情報ファイルに対応するＭＰＥＧ−２フォーマットのＡ／Ｖストリームクリップファイル（＊．ｍ２ｔｓ）が格納されるＳＴＲＥＡＭディレクトリが含まれる。
【００２３】
ＳＴＲＥＡＭディレクトリにはクリップと呼ばれるＭＰＥＧ−２フォーマットのＡ／Ｖストリームクリップファイルが含まれており、また、ブリッジ−クリップＡ／Ｖストリームファイルと呼ばれる特別な形態のクリップも含まれる。ブリッジ−クリップはクリップのうちから選択された二つ以上の再生区間を滑らかに連結するために使用するもので、一般にクリップに比べてサイズが小さい。Ａ／Ｖストリームにはビデオオーディオデータのソースパケットが含まれる。ビデオオーディオデータのソースパケットにはヘッダーと伝送パケットが含まれる。一つのソースパケットには自身にアクセスするためのアドレスの役割を果たすソースパケット番号ＳＰＮが含まれる。そのソースパケット番号は一般に順番に番号が割り当てられる。伝送パケットには一つのパケットＩＤ  ＰＩＤが含まれる。本発明におけるＰＩＤの使用に関しては下で詳細に説明する。
【００２４】
ＣＬＩＰＩＮＦディレクトリには各Ａ／Ｖストリームファイルに連係するクリップ情報ファイルが含まれる。クリップ情報ファイルは連係するＡ／Ｖストリームの類型、シーケンス情報、プログラム情報、タイミング情報を指示する。シーケンス情報は到着時間基準ＡＴＣシーケンスとシステム時間基準ＳＴＣシーケンスを記述する。例えば、シーケンス情報はシーケンスの数、各シーケンスの開始と終わり時間情報、各シーケンス内の一番目のソースパケットのアドレス、各シーケンスにある伝送パケットのＰＩＤを指示する。プログラムのコンテンツが続く伝送パケットシーケンスはプログラムシーケンスと呼ばれる。プログラム情報はプログラムシーケンスの個数、各プログラムシーケンスの開始アドレス、プログラムシーケンスにある伝送パケットのＰＩＤを指示する。
【００２５】
タイミング情報は特徴ポイント情報（ＣＰＩ）と呼ばれる。ＣＰＩの一形態がＥＰマップである。ＥＰマップは、例えば、到着時間ＡＴＣ及び／またはシステム時間ＳＴＣを基準にして、ソースパケットのアドレス（例えば、ソースパケットの番号）に対するタイムスタンプを表示する。
【００２６】
ＰＬＡＹＬＩＳＴディレクトリには一つ以上の再生リストファイルがある。再生リストは再生のためのクリップを容易に編集したり組み合わせるために導入された概念である。再生リストファイルはクリップにある再生区間の集合であって、各再生区間は再生アイテムと呼ばれる。再生リストファイルは再生リストを形成する各再生アイテムを識別して、各再生アイテムはクリップの時間軸上の位置（例えば、ＡＴＣまたはＳＴＣ基準でプレゼンテーションタイムスタンプ）を示すＩＮ−ｐｏｉｎｔとＯＵＴ−ｐｏｉｎｔの対である。換言すれば、再生リストファイルは再生アイテムを識別して、各再生アイテムは一つのクリップまたはその一部を指示してクリップと連係するクリップ情報ファイルを識別する。クリップ情報ファイルは再生アイテムをソースパケットのクリップに連結するために使用される。
【００２７】
ＰＬＡＹＬＩＳＴディレクトリには実再生リスト（＊．ｒｐｌｓ）と仮想再生リスト（＊．ｖｐｌｓ）が含まれる。実再生リストはクリップだけを用いてブリッジ−クリップは用いることができない。すなわち、実再生リストはクリップの一部を参照することと見られるので、概念的にディスク上でクリップの一部を参照することと同等なことと見られる。仮想再生リストはクリップとブリッジ−クリップをすべて用いることができるので、実再生リストの概念は仮想再生リストと並存しない。
【００２８】
「ｉｎｆｏ．ｄｖｐ」ファイルは光ディスクに記録されるＡ／Ｖストリームの再生を管理する一般的な情報を提供する一般情報ファイルである。
【００２９】
図２では、本発明の実施形態による記録媒体のデータ構造を示しているだけでなく、記録媒体の領域をも示している。例えば、一般情報ファイルは一つ以上の一般情報領域に記録され、再生リストディレクトリは一つ以上の再生リストディレクトリ領域に記録され、再生リストディレクトリ内の各再生リストは記録媒体の一つ以上の再生リスト領域に記録される。図２のデータ構造を有する記録媒体に対して例示している図３に示したように、記録媒体にはファイルシステム情報領域、データベース領域、そしてＡ／Ｖストリーム領域が含まれる。データベース領域には一般情報ファイルと再生リスト情報が記録される領域とクリップ情報領域が含まれる。一般情報ファイルと再生リスト情報が記録される領域には、一般情報ファイル領域の一般情報ファイルと、再生リスト情報領域のＰＬＡＹＬＩＳＴディレクトリと再生リストファイルが記録される。クリップ情報領域には、ＣＬＩＰＩＮＦディレクトリと、関連クリップ情報ファイルが記録される。Ａ／Ｖストリーム領域には多様なタイトルのＡ／Ｖストリームが記録される。
【００３０】
ビデオオーディオデータは一般に個別タイトルとして編成されている。例えば、ビデオオーディオデータにより表現される異なる映画は異なるタイトルとして編成される。また、タイトルは、本がチャプターとして編成されるように多くのチャプターとして編成することができる。
【００３１】
ＢＤ−ＲＯＭのような新しい高密度記録媒体はその記録容量が非常に大きいため、異なるタイトル、様々なバージョンのタイトル、または一タイトルの一部を格納して再生することができる。例えば、異なるカメラアングルのビデオデータを記録媒体に記録したり、他の実施形態では、あるタイトルに対する様々なバージョンまたは異なる言語と関連させた一部も記録媒体に記録することができ、さらに他の実施形態では、タイトルの監督バージョンまたは映画館用バージョンも記録媒体に記録することができる。または、一タイトルの成人バージョン、青年バージョン、父母が制限できる少年バージョンなどを記録媒体に記録することができる。各バージョンは異なる再生経路を有する。、そのような場合のビデオデータは多重再生経路ビデオデータと呼ばれる。、本発明は多重経路ビデオデータに対する前記例に対してに限られず、多重再生経路ビデオデータのある類型またはこれらの組合せに対しても適用が可能である。後の実施形態で詳細に説明するが、本発明のデータ構造には、記録媒体に記録される多重再生経路ビデオデータの再生を管理するための経路管理情報及び／またはナビゲーション情報が含まれる。
【００３２】
また、タイトルにはそのタイトルの一部を形成する様々なストーリがあることがある。これはタイトルの一部の再生経路（例えば、タイトルの特定一部に関するストーリ経路）がユーザーの入力により決定される対話形タイトルに対しても同様である。したがって、このような多重ストーリタイトルはユーザーの選択によって数多い再生経路がある。本発明の実施形態に関して以後に詳細に説明するが、本発明によるデータ構造には一つのタイトルと連係する多重再生経路（ストーリ）の再生を管理して制御するためのストーリ情報またはナビゲーション情報が含まれる。
【００３３】
例えば、一実施形態で、ナビゲーション情報には、以前／以後再生アイテム連結情報Ｐｒｅｖ_ＰＩ／Ｎｅｘｔ_ＰＩと、以前／以後再生リスト連結情報Ｐｒｅｖ_ＰＬ／Ｎｅｘｔ_ＰＬが含まれる。他の実施形態で、多重再生経路の経路を指示するための経路番号情報をタイトルの再生リストファイルに記録しておくこともできる。
【００３４】
図４は、図２のデータ構造による多重ストーリデータストリームを管理する１番目の実施形態を示したものである。ＢＤ−ＲＯＭのファイル構造に含まれて記録される少なくとも一つのクリップファイルが複数の再生リスト（ＰＬ１、ＰＬ２、ＰＬ３、…）に連係されて、タイトルで管理される。クリップファイルに含まれて記録される多重ストーリのＡ／ＶストリームはＭＰＥＧ−２方式のトランスポートパケット（ＴＰ）の形態で記録される。
【００３５】
各ストーリを識別するための異なるＰＩＤがＴＰに記録される。換言すれば、異なるストーリと連係するＴＰは異なるＰＩＤを有する。例えば、図４に示したように、Ｖｉｄｅｏ_ＰＩＤ＝ＡとＡｕｄｉｏ_ＰＩＤ＝Ｐがクリップファイルに含まれる１番目のストーリの１番目のＴＰ（ＴＰ１）に記録される。Ｖｉｄｅｏ_ＰＩＤ＝ＢとＡｕｄｉｏ_ＰＩＤ＝Ｒがクリップファイルに含まれる２番目のストーリの２番目のＴＰ（ＴＰ２）に記録される。１番目のストーリと２番目のストーリのＴＰ１とＴＰ２は、途切れることなく再生できるように、ＢＤ−ＲＯＭのデータ記録領域に連続的に記録される。
【００３６】
また、図４は多重再生経路の再生順序を指定するための以前／以後再生リスト連結情報Ｐｒｅｖ_ＰＬ／Ｎｅｘｔ_ＰＬがクリップファイルと連係する複数の再生リストＰＬ１、ＰＬ２、ＰＬ３、…にナビゲーション情報として記録されることを示している。すなわち、ナビゲーション情報は再生リストを相互に連結する。再生している間、ナビゲーション情報は特定の再生リストの再生後に再生する次の再生リストを指示する。特定のストーリまたは再生経路の再生リストに対するナビゲーション情報は再生経路と連係する再生リストの連結グループを作る。図３にナビゲーション情報が格納される記録媒体のナビゲーション領域を示している。しかし、これはそこに限らず、多くのナビゲーション領域を設けてもよい。
【００３７】
図５は、本発明による光ディスク記録及び再生装置に対する構成を示したものである。Ａ／Ｖエンコーダ９は、オーディオビデオデータの入力を受けてエンコーディングして、コーディング情報をストリーム特性情報と共にマルチプレクサ８に出力する。マルチプレクサ８は、例えば、ＭＰＥＧ−２伝送ストリームを生成するために、入力されるコーディング情報とストリーム特性情報に基づいてエンコーディングされたオーディオビデオデータを多重化する。ソース・パケッタイザ７はマルチプレクサから入力された伝送パケットを光ディスクのオーディオビデオフォーマットに合うソースパケットにパケット化する。図５に示したように、Ａ／Ｖエンコーダ９、マルチプレクサ８、ソース・パケッタイザ７の動作はコントローラ１０により制御される。コントローラ１０は、ユーザーから記録命令を受信すると、Ａ／Ｖエンコーダ９、マルチプレクサ８、ソース・パケッタイザ７に制御情報を送る。例えば、コントローラ１０は、Ａ／Ｖエンコーダ９に実行するエンコーディング類型を指示し、マルチプレクサ８に生成する伝送ストリームを指示し、ソース・パケッタイザ７にソースパケットのフォーマットを指示する。また、コントローラ１０は光ディスクにソース・パケッタイザー７の出力を記録できるようにドライブ３を制御する。
【００３８】
また、コントローラ１０は光ディスクに記録されているオーディオビデオデータの再生を管理するためのナビゲーション情報を生成する。例えば、ユーザーとのインターフェース（ディスクに格納されているか、イントラネットまたはインターネットを介して提供する命令語）を介して受けた情報を基礎にして、コントローラ１０は光ディスクに図２、図３、図４、図５のデータ構造を記録するようにドライブ３を制御する。
【００３９】
再生期間には、コントローラ１０はデータ構造を再生するようにドライブ３を制御する。すなわち、ディスクに含まれた情報とユーザーインターフェース（記録及び再生装置の操作ボタンまたはその装置と関連した遠隔操作）を介して受けたユーザー入力を基礎にして、コントローラ１０は光ディスクからオーディオビデオソースパケットを再生するようにドライブ３を制御する。すなわち、コントローラ１０はユーザーからの再生要求によって任意のタイトルに対応するクリップファイルを選択して再生する。コントローラ１０では、クリップファイルに連係される再生リストファイルに含まれたナビゲーション情報をサーチし、参照した後に、ユーザーにより選択されて指定された再生経路に対するＡ／Ｖストリームを分類してワンセットの多重ストーリを連結して再生する。
【００４０】
例えば、ユーザー入力はストーリ（または再生する経路）を指定できる。このようなユーザー入力を、例えば、コントローラ１０にあらかじめプログラムされたＧＵＩベースのメニューを介して、指定することができる。ユーザー入力と光ディスクから読み出されるナビゲーション情報を利用して、コントローラ１０は再生経路に対する再生を制御する。
【００４１】
例えば、特定の再生経路を選択するために、コントローラ１０はＴＰに対するＰＩＤを調査してストーリまたは再生経路の個数を確認し、ユーザーが再生する経路を選択できるようにする。このような経路情報には再生する再生経路と関連した意味ある情報を含ませることができる。再生期間、選択された経路（例えば、選択されたＰＩＤを有するＴＰ）と連係する１番目の再生リストが再生される。以後ナビゲーション情報は選択された再生経路を形成している再生リストのグループの中からの再生する次の再生リストを指示する。
【００４２】
ソース・デパケッタイザ４は再生されたパケットの入力を受けてＭＰＥＧ−２伝送パケットストリームのようなデータストリームに変換する。デマルチプレクサ５はデータストリームをエンコーディングされたビデオオーディオデータに逆多重化する。Ａ／Ｖデコーダ６はエンコーディングされたビデオオーディオデータをデコーディングして元のビデオオーディオデータを生成する。再生の間、ソース・デパケッタイザ４、デマルチプレクサ５、Ａ／Ｖデコーダ６の動作はコントローラ１０により制御される。コンとローラ１０がユーザーから再生命令を受信すると、ソース・デパケッタイザ４、デマルチプレクサ５、Ａ／Ｖデコーダ６に制御情報を送る。例えば、コントローラ１０は、ソース・デパケッタイザ４にソースパケットのフォーマットを指示し、デマルチプレクサ５に逆多重化する伝送ストリームを指示し、Ａ／Ｖデコーダ６に実行するデコーディング類型を指示する。
【００４３】
図５には記録及び再生装置に関して図示しているが、図５の構成要素一部だけで記録動作または再生作動だけ提供する専用記録装置または専用再生装置も可能である。
【００４４】
図６は、本発明による多重再生経路データストリームを管理する２番目の実施形態を示したものである。図６の実施形態は、再生リストに経路番号情報が含まれる点を除いては、図４の実施形態と同じである。経路番号情報は図４の実施形態に関して前で説明したナビゲーション情報に加えてまたはその代わりに含まれる。経路番号情報は再生リストと連係する再生経路を指示する。すなわち、各再生経路には経路番号が割り当てられて、再生リストに対する経路番号情報は再生リストと連係する再生経路の経路番号を提供する。このような方式で、経路番号情報は各再生リストがどのストーリと連係するかを指示することができる。
【００４５】
図５の記録及び再生装置は、図６の実施形態に対して、図４で説明した能都同様に動作する。しかし、図６の実施形態では、コントローラ１０が経路番号情報から再生経路を決定することができる。
【００４６】
図７は、本発明による多重再生経路データストリームを管理する３番目の実施形態を示したものである。図７の実施形態は、伝送パケットがクリップファイルに記録される方式を除いては、図４の実施形態と同じである。図７に示したように、伝送パケット１（ＴＰ１）と伝送パケット２（ＴＰ２）はそれぞれ所定の大きさを有するグループに分けられる。そのグループはインターリーブされる。異なる再生経路（例えば、異なるストーリ）に対する伝送パケットのグループがインターリーブされても各再生経路に対してスムースな再生が可能であるように、グループの大きさが設定される。
【００４７】
図７に示したように、クリップファイルにおいて１番目のストーリと連係するＳｔｏｒｙ１−１、Ｓｔｏｒｙ１−２、Ｓｔｏｒｙ１−３などの伝送パケットグループのための記録領域がインターリーブされている。各グループは所定の大きさを有して１番目のストーリと連係するＴＰ１が含まれる。また、２番目のストーリと連係するＳｔｏｒｙ２−１、Ｓｔｏｒｙ２−２、Ｓｔｏｒｙ２−３などの伝送パケットグループの記録領域もインターリーブされる。各グループは所定の大きさを有して２番目のストーリと連係するＴＰ２が含まれる。
【００４８】
図４と図５で説明したように、コントローラ１０はユーザーの再生要求によって任意のタイトルに対応するクリップファイルを選択して再生する。コントローラ１０は、クリップファイルに連係される再生リストファイルに含まれたナビゲーション情報をサーチして参照した後に、ユーザーにより選択されて指定されたストーリに対するＡ／Ｖストリームを分類してワンセットの多重再生経路を連結して再生する。
【００４９】
図８は、本発明による多重再生経路データストリームを管理する４番目の実施形態を示したものである。図８の実施形態は、再生リストに経路番号情報が含まれることを除いては、図７の実施形態と同様である。経路番号情報は図７の実施形態に関して前で説明したナビゲーション情報に追加してまたはその代わりに含まれる。経路番号情報は再生リストと連係する再生経路を指示する。すなわち、各再生経路に経路番号が割り当てられて、再生リストに対する経路番号情報は再生リストと連係する再生経路の経路番号を提供する。このような方式で、経路番号情報は各再生リストがいずれの再生経路と連係するかを指示する。
【００５０】
図５の記録及び再生装置は、図８の実施形態に対して、図７で説明した能都同様に動作する。しかし、図８の実施形態では、コントローラ１０が経路番号情報から再生経路を決定することができる。
【００５１】
図９は、本発明による多重再生経路データストリームを管理する５番目の実施形態を示したものである。図９の実施形態は、異なる再生経路と連係する伝送パケットが同じクリップファイルに記録されないことを除いては、図４の実施形態と同様である。代わりに、異なる再生経路（例えば、異なるストーリ）と連係する伝送パケットは異なるクリップファイルに記録される。
【００５２】
図９に示したように、ＢＤ−ＲＯＭのファイル構造で１番目、２番目のクリップファイルは１タイトルの複数の再生リストＰＬ１、ＰＬ２、ＰＬ３、…と連係する。そして、１番目のストーリと連係してＶｉｄｅｏ_ＰＩＤ＝ＡとＡｕｄｉｏ_ＰＩＤ＝Ｐを有するＴＰ１は１番目のクリップファイルに記録され、２番目のストーリと連係してＶｉｄｅｏ_ＰＩＤ＝ＢとＡｕｄｉｏ_ＰＩＤ＝Ｒを有するＴＰ２は２番目のクリップファイルに記録される。
【００５３】
図５で説明したように、コントローラ１０はユーザーの再生要求によって任意のタイトルに対応するクリップファイルを選択して再生する。コントローラ１０は、図４を参照して説明したように、クリップファイルに連係される再生リストファイルに含まれたナビゲーション情報をサーチし、参照した後に、ユーザーにより選択されて指定されたストーリに対するＡ／Ｖストリームを分類してワンセットの多重再生経路を連結して再生する。
【００５４】
図１０は、本発明による多重再生経路データストリームを管理する６番目の実施形態を示したものである。図１０の実施形態は、再生リストに経路番号情報が含まれることを除いては、図９の実施形態と同様である。経路番号情報は図９の実施形態に関して前で説明したナビゲーション情報に追加してまたはその代わりに含まれる。経路番号情報は再生リストと連係する再生経路を指示する。すなわち、各再生経路には経路番号が割り当てられて、再生リストに対する経路番号情報は再生リストと連係する再生経路の経路番号を提供する。このような方式で、経路番号情報は各再生リストがどの再生経路と連係するかを指示する。
【００５５】
図５の記録及び再生装置は、図１０の実施形態に対して、図９で説明しことと同じように動作する。しかし、図１０の実施形態では、コントローラ１０が経路番号情報から再生経路を決定することができる。
【００５６】
図１１は、本発明による多重再生経路データストリームを管理する７番目の実施形態を示したものである。図１１の実施形態は、伝送パケットが記録媒体に記録される方式を除いては、図９の実施形態と同様である。図１１に示したように、伝送パケット１（ＴＰ１）と伝送パケット２（ＴＰ２）はそれぞれ所定の大きさを有するグループに分けられる。そのグループはＢＤ−ＲＯＭのデータ記録領域内で物理的にインターリーブされる。異なる再生経路（例えば、異なるストーリ）に対する伝送パケットのグループが物理的にインターリーブされても各再生経路に対してスムースな再生が可能であるように、グループの大きさが設定される。
【００５７】
図１１に示したように、クリップファイル１に含まれる１番の目ストーリと連係するＳｔｏｒｙ１−１、Ｓｔｏｒｙ１−２、Ｓｔｏｒｙ１−３などの伝送パケットグループに対する記録領域が物理的にインターリーブされる。各グループは所定の大きさを有し、１番目のストーリと連係するＴＰ１が含まれる。また、クリップファイル２に含まれる２番目のストーリと連係するＳｔｏｒｙ２−１、Ｓｔｏｒｙ２−２、Ｓｔｏｒｙ２−３などの伝送パケットグループに対する記録領域が物理的にインターリーブされる。各グループは所定の大きさを有し、２番目のストーリと連係するＴＰ２が含まれる。
【００５８】
図４と図５で説明したように、コントローラ１０はユーザーの再生要求によって任意のタイトルに対応するクリップファイルを選択して再生する。コントローラ１０は、クリップファイルに連係される再生リストファイルに含まれたナビゲーション情報をサーチして参照した後に、ユーザーにより選択されて指定されたストーリに対するＡ／Ｖストリームを分類してワンセットの多重再生経路を連結して再生する。
【００５９】
図１２は、本発明による多重再生経路データストリームを管理する８番目の実施形態を示したものである。図１２の実施形態は、再生リストに経路番号情報が含まれることを除いては、図１１の実施形態と同様である。経路番号情報は図１１の実施形態に関して前で説明したナビゲーション情報に追加してまたはその代わりに含まれる。経路番号情報は再生リストと連係する再生経路を指示する。すなわち、各再生経路には経路番号が割り当てられて、再生リストに対する経路番号情報は再生リストと連係する再生経路の経路番号を提供する。このような方式で、経路番号情報は各再生リストがどの再生経路と連係するかを指示する。
【００６０】
図５の記録及び再生装置は、図１２の実施形態に対して、図１１で説明したように動作する。しかし、図１２の実施形態では、コントローラ１０が経路番号情報から再生経路を決定することができる。
【００６１】
参考に、前で説明した実施形態でクリップファイル（*．ｍ２ｔｓ）は各再生リストにある一つまたはそれ以上の再生アイテムと連係することができる。この場合、多重ストーリの再生順序を指定するための以前／以後再生アイテム連結情報Ｐｒｅｖ_ＰＩ／Ｎｅｘｔ_ＰＩまたは経路番号情報が再生リストファイルに含まれてもよい。
【００６２】
また、本発明は記録媒体に一つのタイトルだけが記録される場合に限られず、タイトルディレクトリとタイトルファイルを本発明のファイル構造にさらに記録することもできる。
【００６３】
したがって、前記のように構成される本発明はユーザーにより選択された再生経路に対するデータストリームを迅速で正確に分類して再生できる装置と方法を提供する。
【図面の簡単な説明】
【００６４】
【図１】再記録可能ブルーレイディスク（ＢＤ−ＲＥ）の規格による再記録可能光ディスクのファイルまたはデータ構造を示したものである。
【図２】本発明による記録媒体のファイルまたはデータ構造に対する実施形態を示したものである。
【図３】図２のデータ構造を有する記録媒体に対する実施形態を示したものである。
【図４】本発明による多重再生経路データストリームを管理する１番目の実施形態を示したものである。
【図５】本発明による光ディスク記録及び再生装置に対する構成を示したものである。
【図６】本発明による多重再生経路データストリームを管理する２番目の実施形態を示したものである。
【図７】本発明による多重再生経路データストリームを管理する３番目の実施形態を示したものである。
【図８】本発明による多重再生経路データストリームを管理する４番目の実施形態を示したものである。
【図９】本発明による多重再生経路データストリームを管理する５番目の実施形態を示したものである。
【図１０】本発明による多重再生経路データストリームを管理する６番目の実施形態を示したものである。
【図１１】本発明による多重再生経路データストリームを管理する７番目の実施形態を示したものである。
【図１２】本発明による多重再生経路データストリームを管理する８番目の実施形態を示したものである。
【図１】
2005531871.tif 000003
【図２】
2005531871.tif 000004
【図３】
2005531871.tif 000005
【図４】
2005531871.tif 000006
【図５】
2005531871.tif 000007
【図６】
2005531871.tif 000008
【図７】
2005531871.tif 000009
【図８】
2005531871.tif 000010
【図９】
2005531871.tif 000011
【図１０】
2005531871.tif 000012
【図１１】
2005531871.tif 000013
【図１２】
2005531871.tif 000014
【国際調査報告】
2005531871.tif 000015